(57)【要約】【課題】分草ガイドを作動させるワイヤの支持部材を藁屑等が下方に抜け易い構造とすることで、藁屑等の滞留を防止し、分草ガイドの作動を円滑にする。【解決手段】運転席（５）側から遠隔操作可能な操作ワイヤ（１８）と該操作ワイヤ（１８）によって作動するリンク機構（１６）を介して、刈取部（３）の未刈地側の立毛穀稈を外側方に分草案内する分草作用姿勢と機体側に収納する収納姿勢とに切替可能な分草ガイド（１５）を備えたコンバインにおいて、前記リンク機構（１６）に連結される前記操作ワイヤ（１８）のアウタ側端部を支持するワイヤ支持部材（１９）を設け、該ワイヤ支持部材（１９）に、上下方向の開放空間（Ｓ）を形成してある。前記ワイヤ支持部材（１９）は、左右方向の第１部材（１９ａ）と前後方向の左右の第２部材（１９ｂ，１９ｃ）から前部側を開放したコの字状に形成してある。【選択図】図４
2019141017.tif 000002
【特許請求の範囲】
【請求項１】
運転席（５）側から遠隔操作可能な操作ワイヤ（１８）と該操作ワイヤ（１８）によって作動するリンク機構（１６）を介して、刈取部（３）の未刈地側の立毛穀稈を外側方に分草案内する分草作用姿勢と機体側に収納する収納姿勢とに切替可能な分草ガイド（１５）を備えたコンバインにおいて、前記リンク機構（１６）に連結される前記操作ワイヤ（１８）のアウタ側端部を支持するワイヤ支持部材（１９）を設け、該ワイヤ支持部材（１９）に、上下方向の開放空間（Ｓ）を形成してあることを特徴とするコンバイン。
【請求項２】
前記ワイヤ支持部材（１９）は、左右方向の第１部材（１９ａ）と前後方向の左右の第２部材（１９ｂ，１９ｃ）から前部側を開放したコの字状に形成してある請求項１記載のコンバイン。
【請求項３】
前記ワイヤ支持部材（１９）は、左右方向の前記第１部材を平板状のプレート（１９Ａ）で、前後方向の左右の前記第２部材を丸棒（１９Ｌ，１９Ｒ）によってコの字状に形成してある請求項１記載のコンバイン。
【請求項４】
前記ワイヤ支持部材（１９）は、左右方向の第１部材（１９ａ）と前後方向の第２部材（１９ｂ）とから平面視で略Ｌ字型に形成してある請求項１記載のコンバイン。
【請求項５】
前記ワイヤ支持部材（１９）の前側に連結するコの字状のブラケット（２０）には、前記操作ワイヤ（１８）からの連動によって回動し、前記リンク機構（１６）を伸縮作動させる回動軸（２５）を上下方向に挟む状態で架設してある請求項１又は請求項２又は請求項３又は請求項４記載のコンバイン。
【発明の詳細な説明】
【技術分野】
【０００１】
この発明は、未刈地側の穀稈を外側方に分草案内する分草ガイドを備えたコンバインに関する。
【背景技術】
【０００２】
従来、例えば、特許文献１には、刈取部の未刈地側横側部に、外側方へ張り出す分草作用姿勢と機体側へ収納する収納姿勢とに切替可能な分草ガイドを設け、運転操作部の近くに設けられた操作レバーの操作により、操作ワイヤ及び屈伸リンクを介して分草ガイドを分草作用姿勢と収納姿勢とに切替操作できるように構成したものが開示されている。
【先行技術文献】
【特許文献】
【０００３】
【特許文献１】特開２０１３−１５３６８７号公報
【発明の概要】
【発明が解決しようとする課題】
【０００４】
分草ガイドは、操作ワイヤの操作により、外側方へ張り出す分草作用姿勢と機体側へ収納する収納姿勢（開閉姿勢）とに切り替えるが、従来は、その操作ワイヤを支持する支持部材が刈取穀稈の搬送経路下方近くに配置されているため、その支持部材の上面に泥やワラ屑類が滞留し、分草ガイドの円滑な作動が期待できない問題があった。
【０００５】
本発明の課題は、ワイヤ支持部材をワラ屑類が下方に抜け易い構造とすることで、ワラ屑類の滞留を防止し、分草ガイドの作動を円滑にすることを目的とする。
【課題を解決するための手段】
【０００６】
この発明は、上記課題を解決すべく次のような技術的手段を講じた。
【０００７】
すなわち、請求項１記載の発明は、運転席（５）側から遠隔操作可能な操作ワイヤ（１８）と該操作ワイヤ（１８）によって作動するリンク機構（１６）を介して、刈取部（３）の未刈地側の立毛穀稈を外側方に分草案内する分草作用姿勢と機体側に収納する収納姿勢とに切替可能な分草ガイド（１５）を備えたコンバインにおいて、前記リンク機構（１６）に連結される前記操作ワイヤ（１８）のアウタ側端部を支持するワイヤ支持部材（１９）を設け、該ワイヤ支持部材（１９）に、上下方向の開放空間（Ｓ）を形成してある。
【０００８】
請求項２記載の発明は、前記ワイヤ支持部材（１９）は、左右方向の第１部材（１９ａ）と前後方向の左右の第２部材（１９ｂ，１９ｃ）から前部側を開放したコの字状に形成してある。
【０００９】
請求項３記載の発明は、前記ワイヤ支持部材（１９）は、左右方向の前記第１部材を平板状のプレート（１９Ａ）で、前後方向の左右の前記第２部材を丸棒（１９Ｌ，１９Ｒ）によってコの字状に形成してある。
【００１０】
請求項４記載の発明は、前記ワイヤ支持部材（１９）は、左右方向の第１部材（１９ａ）と前後方向の第２部材（１９ｂ）とから平面視で略Ｌ字型に形成してある。
【００１１】
請求項５記載の発明は、前記ワイヤ支持部材（１９）の前側に連結するコの字状のブラケット（２０）には、前記操作ワイヤ（１８）からの連動によって回動し、前記リンク機構（１６）を伸縮作動させる回動軸（２５）を上下方向に挟む状態で架設してある。
【発明の効果】
【００１２】
請求項１記載の発明によれば、ワイヤ支持部材１９には、上下方向の開放空間Ｓが形成されているため、上方から落ちてくる雑草や藁屑が滞留することなく、下方へ速やかに落下させることができ、分草ガイド１５の開閉作動に支障がなく、円滑に作動させることができる。
【００１３】
請求項２記載の発明によれば、請求項１記載の発明の効果に加えて、ワイヤ支持部材１９が平面視略コの字状に形成されているため、藁屑類が下方に抜け落ち易く、しかも、前方側も開放されているため、操作ワイヤ１８のアウタ側の取付支持が簡単にでき、操作ワイヤ１８と前側のリンク機構１６との連結も容易に行うことができる。
【００１４】
請求項３記載の発明によれば、請求項１記載の効果に加えて、ワイヤ支持部材１９の第１部材は平板状のプレート１９Ａであるため、操作ワイヤ１８の挿通支持が容易であり、左右側の第２部材は丸棒１９Ｌ，１９Ｒであるため、藁屑等の絡み付きがなく、速やかに下方へ滑り落下させることができる。
【００１５】
請求項４記載の発明によれば、請求項１に記載の効果に加えて、ワイヤ支持部材１９が平面視で略Ｌ字型であるため、構成が簡単になるばかりでなく、メンテナンスや清掃を容易に行うことができる。
【００１６】
請求項５記載の発明によれば、請求項１又は請求項２又は請求項３又は請求項４記載の発明の効果に加えて、ワイヤ支持部材１９の前側に連結するコの字状のブラケット２０に、回動軸２５を上下方向に架設するため、操作ワイヤ１８の押し引き操作で回動軸２５を往復回動させ、分草ガイドのリンク機構１６を伸縮作動させて、分草ガイド１５の開閉作動をスムーズに行わせることができる。
【図面の簡単な説明】
【００１７】
【図１】コンバインの正面図
【図２】コンバインの平面図
【図３】コンバインの側面図
【図４】分草ガイドを備えた刈取部の要部の平面図
【図５】同上要部の平面図
【図６】同上要部の平面図
【図７】同上要部の平面図
【図８】分草ガイド作動機構の側面図
【図９】同上要部の平面図
【図１０】ワイヤ締結用プレートと地面との関係を示す側面図
【図１１】刈取部の要部の平面図
【図１２】同上要部の背面図
【図１３】同上要部の背面図
【図１４】刈取部の要部の平面図
【図１５】同上要部の側面図
【図１６】刈取部の要部の平面図
【図１７】同上要部の平面図
【発明を実施するための形態】
【００１８】
この発明の実施例を図面に基づき説明する。
【００１９】
図１〜図３は、コンバインを示すものであり、走行車体１には、左右一対の走行クローラ２，２を備え、後部に搭載した脱穀部（脱穀装置）４の前方部に刈取部３を設置し、刈取部３の横側後部には運転席５や前側の操作ボックス６等からなる運転操作部を備え、更に、その運転操作部の後方には脱穀粒を一時的に貯留するグレンタンク７を装備している。
【００２０】
刈取部３は、圃場に植立する穀稈を左右に分草する分草体８…と、分草後の穀稈を引き起す穀稈引起し装置９と、引起し後の穀稈を刈り取るバリカン式刈刃装置１０と、刈取後の穀稈を掻込搬送する掻込搬送装置と、掻込搬送後の穀稈を揚上搬送して脱穀装置４のフィードチェン４ａに受け継がせる穀稈搬送装置１１等からなり、車体に対し上下動可能な刈取縦フレーム１２を介して昇降自在に支持する構成としている。なお、刈取縦フレーム１２は、刈取部３の各部を駆動する伝動軸が内装されている。
【００２１】
刈取部３の未刈地側横側部には、外側方に張り出す分草作用姿勢と機体側に収納する収納姿勢とに切替可能な分草ガイド１５が設けられている。この分草ガイド１５は、前端部が未刈地側（左側）の分草体８の背部位置で分草支持フレーム８ａの前端部に回動自在に枢支され、分草ガイド１５の途中部が一次リンク１６ａと二次リンク１６ｂからなる横幅方向に屈伸（伸縮）可能なリンク機構１６を介して張出し・収納自在に連係され、運転席５近くに設けられた操作レバー１７の回動操作で２本の操作ワイヤ１８を介して遠隔操作できるように連動構成されている。
【００２２】
２本の操作ワイヤ１８の一端側は操作レバー１７の天秤アームの両端部に連係され、他端側はリンク機構１６の基部から延在するアームの両端部に連係されていて、操作レバー１７の操作で、２本の操作ワイヤ１８を背反的に押し引きし、リンク機構１６を伸縮作動させるように構成している。なお、リンク機構１６を作動させる手段としてギヤモータを用いることも可能であり、このギヤモータを手元のスイッチ操作で切り替え作動させる構成とすることもできる。
【００２３】
操作ワイヤ１８を支持するワイヤ支持部材１９の前側には、リンク機構１６を支持する支持ブラケット（ブラケット）２０が連結されている。
【００２４】
支持ブラケット２０は、引起しパイプ２１等に支持されるフレーム部材２２に装着支持されている。
【００２５】
ワイヤ支持部材１９は、穀稈搬送経路の近くに配置されているため、上方から藁屑等が多量に落下するので、この藁屑等が下方に流れ落ち易くなるように上下方向の開放空間Ｓを形成している。図４及び図５に示す実施例では、左右方向の第１部材１９ａと前後方向に沿う左右の第２部材１９ｂ，１９ｃとから平面視で略コの字状に形成されている。第１部材１９ａと第２部材１９ｂは、いずれも上下の方向の面を有する板状に形成されている。
【００２６】
また、ワイヤ支持部材１９は、図６の実施例で示すように、左右方向の第１部材を平板状のプレート１９Ａで、左右の前後方向の第２部材を丸棒（丸パイプ）１９Ｌ，１９Ｒによって平面視略コの字状に形成している。
【００２７】
また、図７の実施例では、ワイヤ支持部材１９の左右方向の第１部材１９ａと前後方向の外側の第２部材１９ｂとから平面視で略逆Ｌ字型に形成している。
【００２８】
図８に示すように、支持ブラケット２０は、側面視でコの字状のプレートで構成され、両端がピン軸２３，２３を介して操作ワイヤ１８，１８に連結された天秤アーム２４と一体に往復回動し、分草ガイド１５のリンク機構１６を伸縮作動させる天秤アーム２４と一体の回動軸２５が上下方向に挟む状態に架設されている。回動軸２５にはリンク機構１６の一次リンク１６ａが取り付けられている。
【００２９】
図９に示すように、回動軸２５をＵ字状のブラケット２０で支持するようにしても良く、そのＵ字状に屈曲したプレートが平面視で操作ワイヤ１８の先端（天秤アームのピン軸２３）の公転軌跡範囲より大きくなるように構成している。なお、回動軸２５をＬ字プレートで支持するものであってもよい。
【００３０】
分草ガイド１５を上下方向に調節する際に、分草ガイド１５の構成要素の一部を刈取搬送部のギヤケースやチューブ等、他の構成部品に当てることで、上下調節の限界位置を決めることができる。このように、上下調節の限界位置を他の構成部品に当てて決めることで、下げ切った時と、上げ切った時の過負荷を分草ガイド１５を上下に調節する部品だけで負担することがなくなるので、部品を小さく又は軽量化することができる。
【００３１】
図１０に示す別実施例では、操作ワイヤ１８の締結用プレート２７が正面視又は側面視で操作ワイヤ１８と地面との間に位置するように配置することで、このプレート２７自体が遮蔽物となるため、走行中、操作ワイヤ１８が障害物（圃場の段差、畦等）に衝突して破損を招くことがなくなる。
【００３２】
次に、刈取搬送部のギヤケースの構造について説明すると、図１１例で示すように、刈刃装置１０、掻込スターホイル３０や引起し装置９等を伝動する横方向に長いギヤケース３１において、該ギヤケース３１は、左ケース３１Ｌと右ケース３１Ｒとに分割式に構成され、左右のケース３１Ｌ，３１Ｒ同士の接合フランジ３３，３３を介して締結されていて、ギヤケース３１と刈取縦フレーム（後フレーム）１２との接合部の形状が強度を有したまま穀稈根元の搬送経路を確保できるように、ギヤケース側のフランジ部３３に斜面３３Ｔを設けることで、穀稈根元の搬送に支障をきたさず、円滑な流れを期待することができる。
【００３３】
また、図１２に示すように、ギヤケース３１側のフランジ部に設けた斜面の形状は、刈取縦フレーム１２に対する接合部のフランジ面を上から見てＣカット部又はＲ部（斜めの角度）３３Ｃになる形状にすることで、上記と同様に穀稈の流れを抵抗なく良好にする。
【００３４】
また、上記構成において、フランジ部３３の既刈り側はコンバイン進行方向に対して平行な面３３Ｙとなるようにすることで、穀稈の流れがよく、藁屑類の堆積が少なくなる。
【００３５】
なお、刈取縦フレーム１２とフランジ部３３との締結箇所が三個所の場合、フランジ部の形状を三角形にすることもできる。例えば、斜辺（斜面３３Ｃ）と垂辺（３３Ｙ）と横方向の底辺とからなる三角形とする。
【００３６】
更に、図１３に示すように、刈取縦フレーム１２とのフランジ部３３とケース３１Ｌ，３１Ｒ同士の接合フランジ３２，３２が一体形状となるよう構成してもよく、また、フランジ部３３と接合フランジ３２とはリブ３４で繋がるようにしてもよい。更には、刈取縦フレーム１２とギヤケース３１との締結部の位置は、穀稈搬送経路よりも既刈り側に位置するように設定しておくとよい。
【００３７】
図１４及び図１５に示す実施例では、右側掻込スターホイル３０Ｒに沿わせて配設した掻込ガイド片３６を、基部側を右側引起しパイプ２１Ｒに取付ステー３７を介してボルト３８で連結している。これによると、右側の分草幅を広くしているため（２条刈が可能）、導入された穀稈をスターホイル３０Ｌ，３０Ｒの掻込圏内に確実に案内することができる。
【００３８】
また、前記ガイド片３６の形状は、平面視で進行方向に対し中央部が最前部に位置し湾曲状に折り曲げ形成され、その湾曲部から左右は後方部に向かって傾斜する構成としている。
【００３９】
図１６に示すように、掻込ガイド片３６の取付ステー３７に対する連結部は右側掻込スターホイル３０Ｒの先端軌跡より外側に配置している。
【００４０】
また、図１４に示すように、掻込ガイド片のステー部３７は、進行方向に平行で、左右横方向に回動する遠隔回動操作式の分草具３９の分草具スプリン４０の内側に配置している。更に、掻込ガイド片３６は、平面視で掻込ベルト４１軌跡の作用側と非作用側の直線の両方と交差する構成としている。
【００４１】
また、図１７に示すように、掻込ガイド片３６は、平面視において、掻込ベルトカバー４２の下側で駆動プーリ４３と従動プーリ４４の中心軸線を結ぶ直線と交差するように配置している。
【００４２】
掻込ガイド片３６は、上下幅の広い取付ステー３７に対し、複数配置した穴又は長穴によって上下に調節できる構成としている。また、取付ステー３７は側面視において掻込スターホイルの作用範囲内に配置しておくとよい。
【００４３】
掻込ガイド片３６の右側直線部を取付ステー３７部よりも外側に延長可能なガイド作用部３６ａを別部品として設けることができる。
【００４４】
なお、ガイド片３６の始端部と終端部は共に、側面視、平面視において刈刃装置１０よりも後方に配置した構成になっている。
【符号の説明】
【００４５】
３      刈取部
４      脱穀部
５      運転席
１５    分草ガイド
１６    リンク機構
１７    操作レバー
１８    操作ワイヤ
１９    ワイヤ支持部材
Ｓ      開放空間
１９ａ  第１部材
１９ｂ  第２部材
１９ｃ  第２部材
１９Ａ  プレート
１９Ｌ  丸棒
１９Ｒ  丸棒
２０    支持ブラケット（ブラケット）
２５    回動軸
【図１】
2019141017.tif 000003
【図２】
2019141017.tif 000004
【図３】
2019141017.tif 000005
【図４】
2019141017.tif 000006
【図５】
2019141017.tif 000007
【図６】
2019141017.tif 000008
【図７】
2019141017.tif 000009
【図８】
2019141017.tif 000010
【図９】
2019141017.tif 000011
【図１０】
2019141017.tif 000012
【図１１】
2019141017.tif 000013
【図１２】
2019141017.tif 000014
【図１３】
2019141017.tif 000015
【図１４】
2019141017.tif 000016
【図１５】
2019141017.tif 000017
【図１６】
2019141017.tif 000018
【図１７】
2019141017.tif 000019